(57)【要約】【課題】  暗号化ファイルの復号権限者の設定手順が、煩雑である。【解決手段】  対象ファイルをポイントし、操作マウスの右クリックで設定手順を表示する。【選択図】        図１
2007193379.tif 000002
【特許請求の範囲】
【請求項１】
ファイルの表示画面上で操作マウスあるいはそれに相当するデバイスを用い、暗号化対象のファイルを右クリックすると、復号権限者の候補者リストの表示を起動するコマンドが表示されることを特徴とする暗号化ファイルの復号権限者表示方法。
【請求項２】
ファイルの表示画面上で操作マウスあるいはそれに相当するデバイスを用い、暗号化対象のファイルを定められた回数右クリックすると、復号権限者の候補者リストが表示されることを特徴とする暗号化ファイルの復号権限者表示方法。
【請求項３】
ファイルの表示画面上で操作マウスあるいはそれに相当するデバイスを用い、暗号済みのファイルを右クリックすると、該暗号化済みのファイルの復号権限者リストの表示を起動するコマンドが表示されることを特徴とする暗号化ファイルの復号権限者表示方法。
【請求項４】
ファイルの表示画面上で操作マウスあるいはそれに相当するデバイスを用い、暗号済みのファイルを定められた回数右クリックすると、該暗号化済みのファイルの復号権限者リストが表示されることを特徴とする暗号化ファイルの復号権限者表示方法。
【請求項５】
ファイルの表示画面と表示画面上でポインタを操作する操作マウスあるいはそれに相当するデバイスと、ポイントされたファイルが暗号済みか否かを判定する機能を有し、前記の操作マウスあるいはそれに相当するデバイスの右クリックの回数を計数する処理部から構成され、前記処理部は、暗号済みで無いファイルをポイントした状態での右クリック回数に応じ、復号権限者の候補者リストの表示を起動するコマンドあるいは復号権限者の候補者リストを表示することを特徴とする暗号化ファイルの復号権限者表示装置。
【請求項６】
ファイルの表示画面と表示画面上でポインタを操作する操作マウスあるいはそれに相当するデバイスと、ポイントされたファイルが暗号済みか否かを判定する機能を有し、前記の操作マウスあるいはそれに相当するデバイスの右クリックの回数を計数する処理部から構成され、前記処理部は、暗号済みファイルをポイントした状態での右クリック回数に応じ、該暗号化済みのファイルの復号権限者リストの表示を起動するコマンドあるいは該暗号化済みのファイルの復号権限者リストを表示することを特徴とする暗号化ファイルの復号権限者表示装置。
【請求項７】
ファイルの表示画面と表示画面上でポインタを操作する操作マウスあるいはそれに相当するデバイスと、ポイントされたファイルが暗号済みか否かを判定する機能を有し、前記の操作マウスあるいはそれに相当するデバイスの右クリックの回数を計数する処理部から構成され、
Ｓ１ステップ：前記処理部は前記操作マウスあるいはそれに相当するデバイスによりポイントされたファイルが、平文か、暗号化ファイル化を判定し、平文の場合、Ｓ２ステップに移行し、暗号文の場合、Ｓ５ステップに移行し、
Ｓ２ステップ：その状態で、前記の操作マウスあるいはそれに相当するデバイスがシングル右クリックされた場合、Ｓ３ステップへ移行し、ダブル右クリックされた場合、Ｓ４ステップに移行し、
Ｓ３ステップ：復号権限者候補の表示コマンドを含むコマンドメニューが表示され、復号権限者候補の表示コマンドが選択されると、Ｓ４ステップに移行し、
Ｓ４ステップ：復号者権限者の候補者リストが表示され、
Ｓ５ステップ：その状態で、前記の操作マウスあるいはそれに相当するデバイスがシングル右クリックされた場合、Ｓ６ステップへ移行し、ダブル右クリックされた場合、Ｓ７ステップに移行し、
Ｓ６ステップ：復号権限者の表示を含むコマンドメニューが表示され、復号権限者の表示コマンドが選択されると、Ｓ７ステップに移行し、
Ｓ７ステップ：暗号化ファイルに付随する復号者権限者リストが示される
という処理フローを有することを特徴とする暗号化ファイルの復号権限者表示方法および装置
【発明の詳細な説明】
【発明の詳細な説明】
【技術分野】
【０００１】暗号化ファイルに対する復号権限者表示に関する。
【背景技術】
【０００２】従来の暗号化ファイルに対する復号権者の表示は、その都度、関係するリストを起動させて行っている。
【発明が解決しようとする課題】
ユーザは、表示をするには、関係するリストのフォルダ位置などを指定する必要があり、操作が煩雑になるという課題がある。
【課題を解決するための手段】
【０００３】本発明による暗号化ファイルの復号権限者表示方法では、ファイルの表示画面上で操作マウスあるいはそれに相当するデバイスを用い、暗号化対象のファイルを右クリックすると、復号権限者の候補者リストの表示を起動するコマンドが表示される。
【０００４】本発明による暗号化ファイルの復号権限者表示方法では、ファイルの表示画面上で操作マウスあるいはそれに相当するデバイスを用い、暗号化対象のファイルを定められた回数右クリックすると、復号権限者の候補者リストが表示される。
【０００５】本発明による暗号化ファイルの復号権限者表示方法では、ファイルの表示画面上で操作マウスあるいはそれに相当するデバイスを用い、暗号済みのファイルを右クリックすると、該暗号化済みのファイルの復号権限者リストの表示を起動するコマンドが表示される。
【０００６】本発明による暗号化ファイルの復号権限者表示方法では、ファイルの表示画面上で操作マウスあるいはそれに相当するデバイスを用い、暗号済みのファイルを定められた回数右クリックすると、該暗号化済みのファイルの復号権限者リストが表示される。
【０００７】本発明のよる暗号化ファイルの復号権限者表示装置は、ファイルの表示画面と表示画面上でポインタを操作する操作マウスあるいはそれに相当するデバイスと、ポイントされたファイルが暗号済みか否かを判定する機能を有し、前記の操作マウスあるいはそれに相当するデバイスの右クリックの回数を計数する処理部から構成され、前記処理部は、暗号済みで無いファイルをポイントした状態での右クリック回数に応じ、復号権限者の候補者リストの表示を起動するコマンドあるいは復号権限者の候補者リストを表示する。
【０００８】本発明による暗号化ファイルの復号権限者表示装置は、ファイルの表示画面と表示画面上でポインタを操作する操作マウスあるいはそれに相当するデバイスと、ポイントされたファイルが暗号済みか否かを判定する機能を有し、前記の操作マウスあるいはそれに相当するデバイスの右クリックの回数を計数する処理部から構成され、前記処理部は、暗号済みファイルをポイントした状態での右クリック回数に応じ、該暗号化済みのファイルの復号権限者リストの表示を起動するコマンドあるいは該暗号化済みのファイルの復号権限者リストを表示する。
【本発明の実施の形態】
【０００９】図面を参照しながら本発明の実施例を説明する。図２の装置構成において、処理部１は、操作マウス２、表示画面３を制御し、ファイルの属性を判断し、暗号化処理に関する候補者リスト４、登録者リスト５を管理する。図１に示す表示内容及び図３に示す処理フローにおいて、動作を説明する。
【００１０】Ｓ１ステップ：処理部１は操作マウス２によりポイントされたファイルが、平文か、暗号化ファイルかを判定し、平文の場合、Ｓ２ステップに移行し、暗号文の場合、Ｓ５ステップに移行する。
【００１１】Ｓ２ステップ：その状態で、操作マウス２がシングル右クリックされた場合、Ｓ３ステップへ移行し、ダブル右クリックされた場合、Ｓ４ステップに移行する。
【００１２】Ｓ３ステップ：図１（ａ）に示す“ファイルの圧縮、復号権限者候補の表示、メール添付ファイル”といったコマンドメニューが表示され、復号権限者候補者の表示コマンドが選択されると、Ｓ４ステップに移行する。
【００１３】Ｓ４ステップ：図１（ｂ）に示す表示が現れ、候補者リスト４が読み出され復号者権限者の候補者リストが示されると共に、選択された登録者を示す欄が表示される。この選択操作により、候補者の中から登録者が選択されポイントされたファイルに登録者リスト５が付加される。
【００１４】Ｓ５ステップ：その状態で、操作マウス２がシングル右クリックされた場合、Ｓ６ステップへ移行し、ダブル右クリックされた場合、Ｓ７ステップに移行する。
【００１５】Ｓ６ステップ：図１（ｃ）に示す“ファイルの圧縮、復号権限者の表示、メール添付ファイル”といったコマンドメニューが表示され、復号権限者の表示コマンドが選択されると、Ｓ７ステップに移行する。
【００１６】Ｓ７ステップ：図１（ｄ）に示す表示が現れ、暗号化ファイルに付随する登録者リスト５が読み出され復号者権限者の登録者リストが示される。
【発明の効果】
【００１７】以上の操作により、右クリックだけで、暗号処理に必要なリスト表示制御が可能となり、煩雑な手順を必要としない暗号化ファイルの復号権限者あるいは候補者を表示、更には設定ができる。
【図面の簡単な説明】
【００１８】
【図１】本発明の実施例を示す図である。
【図２】本実施例における装置構成を示す図である。
【図３】本実施例における処理フローを示す図である。
【符号の説明】
【００１９】１  処理部
２  操作マウス
３  表示画面
４  候補者リスト
５  登録者リスト
【図１】
2007193379.tif 000003
【図２】
2007193379.tif 000004
【図３】
2007193379.tif 000005